(57)【要約】【課題】容易に、複数を組み合わせて使用することができる電力供給ユニットを提供する。【解決手段】電力供給ユニット１１は、（Ａ）多角柱の形状を有する筐体２０、（Ｂ）筐体２０の内部に格納された二次電池セル３０、（Ｃ）筐体２０の内部に格納され、二次電池セル３０に接続された充放電制御手段４０、（Ｄ）筐体２０に配置され、充放電制御手段４０に接続された、少なくとも１つの電力入力部５１、並びに、（Ｅ）筐体２０に配置され、充放電制御手段４０に接続された、少なくとも１つの電力出力部５３を有する。【選択図】  図１
2012064353.tif 000002
【特許請求の範囲】
【請求項１】
（Ａ）多角柱の形状を有する筐体、
（Ｂ）筐体の内部に格納された二次電池セル、
（Ｃ）筐体の内部に格納され、二次電池セルに接続された充放電制御手段、
（Ｄ）筐体に配置され、充放電制御手段に接続された、少なくとも１つの電力入力部、並びに、
（Ｅ）筐体に配置され、充放電制御手段に接続された、少なくとも１つの電力出力部、
を有する電力供給ユニット。
【請求項２】
充放電制御手段は、充放電制御用の集積回路、及び、ＤＣ／ＤＣコンバータから成る請求項１に記載の電力供給ユニット。
【請求項３】
（Ｆ）筐体に配置され、充放電制御手段に接続された、少なくとも１つの情報入力部、及び、
（Ｇ）筐体に配置され、充放電制御手段に接続された、少なくとも１つの情報出力部、
を更に有する請求項１又は請求項２に記載の電力供給ユニット。
【請求項４】
電力入力部は情報入力部を兼ねており、
電力出力部は情報出力部を兼ねている請求項３に記載の電力供給ユニット。
【請求項５】
電力入力部はＵＳＢ端子部から構成され、
電力出力部は、ＵＳＢ端子部から構成された電力入力部と嵌合するＵＳＢ端子部から構成されている請求項１乃至請求項４のいずれか１項に記載の電力供給ユニット。
【請求項６】
電力入力部及び電力出力部は無線送電回路から成る請求項１乃至請求項３のいずれか１項に記載の電力供給ユニット。
【請求項７】
筐体の形状は、複数の筐体を隙間無く並べ得る形状を有する請求項１乃至請求項６のいずれか１項に記載の電力供給ユニット。
【請求項８】
筐体は正六角柱の形状を有する請求項１乃至請求項６のいずれか１項に記載の電力供給ユニット。
【請求項９】
電力入力部は、正六角柱の形状を有する筐体の奇数番目の側面に設けられており、
電力出力部は、正六角柱の形状を有する筐体の偶数番目の側面に設けられている請求項８に記載の電力供給ユニット。
【請求項１０】
電力入力部の近傍には、充放電制御手段に接続された、電力入力の有無を表示する入力表示手段が配置されており、
電力出力部の近傍には、充放電制御手段に接続された、電力出力の有無を表示する出力表示手段が配置されている請求項１乃至請求項９のいずれか１項に記載の電力供給ユニット。
【請求項１１】
入力表示手段及び出力表示手段は、矢印形状の光が透過する部材から成る表示部、及び、表示部の内側に配置された発光素子から成る請求項１０に記載の電力供給ユニット。
【請求項１２】
入力表示手段及び出力表示手段は、筐体の頂面に配置されている請求項１１に記載の電力供給ユニット。
【発明の詳細な説明】
【技術分野】
【０００１】
本発明は電力供給ユニットに関する。
【背景技術】
【０００２】
充電式電池パックが、例えば、特開平９−００７６４４号公報から周知である。この充電式電池パックは、ケーシング（２）を有し、ケーシング内に二次電池（３）が収納されており、ケーシングに出力端子（７、８）及び残量通信端子（９）が設けられている。また、二次電池の端子電圧を一定電圧に安定化して出力端子に出力するＤＣ／ＤＣコンバータ（５）がケーシング内に収納されており、二次電池の端子電圧をＤＣ／ＤＣコンバータで安定化する前に検出して残量通信端子（９）に出力する残量検出装置（６）がケーシング内に収納されている。
【０００３】
そして、このような構成の充電式電池パックにあっては、ＤＣ／ＤＣコンバータ（５）が二次電池（３）の端子電圧を一定電圧に安定化すると共に、残量検出装置（６）が二次電池（３）の残量に対応した端子電圧を検出するので、レギュレーションが良好で使い勝手がよく、しかも二次電池（３）の残量を容易に検出することが可能であるとされている。
【先行技術文献】
【特許文献】
【０００４】
【特許文献１】特開平９−００７６４４号公報
【発明の概要】
【発明が解決しようとする課題】
【０００５】
ところで、複数の電池パック（電力供給ユニット）を適宜組み合わせて効率良く充電を行い、あるいは又、例えば、容量の異なる複数の電池パック（電力供給ユニット）を組み合わせて用いることに対する要望がある。しかしながら、上記の特許公開公報に開示された充電式電池パックは、単独での使用を前提としており、複数の電池パックとして組み合わせて使用することは困難である。
【０００６】
従って、本発明の目的は、容易に、複数を組み合わせて使用することができる電力供給ユニットを提供することにある。
【課題を解決するための手段】
【０００７】
上記の目的を達成するための本発明の電力供給ユニットは、
（Ａ）多角柱の形状を有する筐体、
（Ｂ）筐体の内部に格納された二次電池セル、
（Ｃ）筐体の内部に格納され、二次電池セルに接続された充放電制御手段、
（Ｄ）筐体に配置され、充放電制御手段に接続された、少なくとも１つの電力入力部、並びに、
（Ｅ）筐体に配置され、充放電制御手段に接続された、少なくとも１つの電力出力部、
を有する。
【発明の効果】
【０００８】
本発明の電力供給ユニットの筐体の形状は多角柱であり、複数の電力供給ユニットを組み合わせることが可能である。しかも、少なくとも１つの電力入力部及び電力出力部が筐体に配置されているので、隣接する電力供給ユニットにおいて電力入力部と電力出力部とを接続することで、複数の電力供給ユニットを容易に組み合わせることができる。しかも、例えば容量の異なる種々の複数の電力供給ユニットを組み合わせて、即ち、混在した状態で、全体として１つの電力供給ユニット群として用いることができ、電力供給ユニットの使用分野の拡大、使用分野における種々の要請に対する柔軟な対処が可能となる。また、例えば劣化の度合い、使用時間、充電回数等が異なる種々の複数の電力供給ユニットを組み合わせて、即ち、混在した状態で、全体として１つの電力供給ユニット群として用いることができるし、容量、電圧等の異なる二次電池セルを用いて全体として１つの電力供給ユニット群を構築することができる。
【図面の簡単な説明】
【０００９】
【図１】図１の（Ａ）、（Ｂ）及び（Ｃ）は、それぞれ、実施例１の電力供給ユニットを３つ、組み合わせた電力供給ユニット群の模式的な斜視図、電力供給ユニット群を上方から眺めた模式図、及び、電力供給ユニットの内部を眺めたときの模式図である。
【図２】図２は、実施例１の電力供給ユニットにおける充放電制御手段のブロック図である。
【図３】図３の（Ａ）及び（Ｂ）は、それぞれ、本発明の電力供給ユニットを６つ、組み合わせた電力供給ユニット群を上方から眺めた模式図、及び、正三角柱の形状を有する筐体を備えた電力供給ユニットの模式的な斜視図である。
【図４】図４の（Ａ）及び（Ｂ）は、それぞれ、四角柱の形状を有する筐体を備えた電力供給ユニットの模式的な斜視図、及び、この電力供給ユニットを３つ、組み合わせた電力供給ユニット群を底面側から眺めた概念図である。
【発明を実施するための形態】
【００１０】
以下、図面を参照して、実施例に基づき本発明を説明するが、本発明は実施例に限定されるものではなく、実施例における種々の数値や材料は例示である。尚、説明は、以下の順序で行う。
１．本発明の電力供給ユニット、全般に関する説明
２．実施例１（本発明の電力供給ユニット）、その他
【００１１】
［本発明の電力供給ユニット、全般に関する説明］
本発明の電力供給ユニットにおいて、充放電制御手段は、充放電制御用の集積回路、及び、ＤＣ／ＤＣコンバータから成る形態とすることができる。充放電制御手段に、ＤＣ／ＤＣコンバータを含ませることで、電力供給ユニットの出力電圧を一定電圧として、安定して外部に出力することができる。尚、充放電制御用の集積回路及びＤＣ／ＤＣコンバータ、それ自体は、周知の充放電制御用の集積回路及びＤＣ／ＤＣコンバータから構成することができる。
【００１２】
上記の好ましい形態を含む本発明の電力供給ユニットにおいては、
（Ｆ）筐体に配置され、充放電制御手段に接続された、少なくとも１つの情報入力部、及び、
（Ｇ）筐体に配置され、充放電制御手段に接続された、少なくとも１つの情報出力部、
を更に有する構成することができる。このような構成を採用することで、複数の電力供給ユニットの全体を制御装置と通信手段で結べば、制御装置による複数の電力供給ユニットの制御、複数の電力供給ユニットにおける情報の授受、交換等、複数の電力供給ユニットの作動状態のチェック、複数の電力供給ユニットの作動状態の表示等が可能となる。尚、電力入力部は情報入力部を兼ねており、電力出力部は情報出力部を兼ねている構成とすることもできる。
【００１３】
上記の好ましい形態、構成を含む本発明の電力供給ユニットにおいて、電力入力部はＵＳＢ端子部から構成され、電力出力部は、ＵＳＢ端子部から構成された電力入力部と嵌合するＵＳＢ端子部から構成されている形態とすることができる。あるいは又、上述した少なくとも１つの情報入力部及び情報出力部を有する構成を含む上記の好ましい形態を含む本発明の電力供給ユニットにおいて、電力入力部及び電力出力部は無線送電回路から成る形態とすることもできる。ここで、無線送電回路（無線送電方式）として、具体的には、電磁誘導方式、磁界共鳴方式を例示することができるが、これらに限定するものではない。
【００１４】
以上に説明した各種の好ましい形態、構成を含む本発明の電力供給ユニットにおいて、筐体の形状は、複数の筐体を隙間無く並べ得る形状を有する構成とすることが望ましい。具体的には、多角柱の形状を有する筐体の軸線と直交する仮想平面で筐体を切断したときの断面形状として、正三角柱を含む三角形；正方形、長方形、平行四辺形を含む四角形；正六角形；線分や曲線で囲まれた任意の形状を例示することができる。尚、断面形状が正方形、長方形である場合の筐体の形状は、立方体あるいは直方体であるとも云える。
【００１５】
あるいは又、以上に説明した各種の好ましい形態、構成を含む本発明の電力供給ユニットにおいて、筐体は正六角柱の形状を有する構成とすることが望ましい。そして、この場合、電力入力部は、正六角柱の形状を有する筐体の奇数番目の側面に設けられており、電力出力部は、正六角柱の形状を有する筐体の偶数番目の側面に設けられている構成とすることができる。尚、電力入力部は、正六角柱の形状を有する筐体の奇数番目の側面の全てに設けてもよいし、側面の一部に設けてもよい。同様に、電力出力部は、正六角柱の形状を有する筐体の偶数番目の側面の全てに設けてもよいし、側面の一部に設けてもよい。
【００１６】
更には、以上に説明した各種の好ましい形態、構成を含む本発明の電力供給ユニットにおいて、電力入力部の近傍には、充放電制御手段に接続された、電力入力の有無を表示する入力表示手段が配置されており、電力出力部の近傍には、充放電制御手段に接続された、電力出力の有無を表示する出力表示手段が配置されている構成とすることができる。そして、この場合、入力表示手段及び出力表示手段は、矢印形状の光が透過する部材から成る表示部、及び、表示部の内側に配置された発光素子から成る構成とすることができる。更には、入力表示手段及び出力表示手段は、筐体の頂面に配置されている構成とすることができる。
【００１７】
以上に説明した各種の好ましい形態、構成を含む本発明の電力供給ユニット（以下、これらを総称して、単に『本発明』と呼ぶ場合がある）において、電力供給ユニットの配置の形態として、隣接する電力供給ユニットにおいて電力入力部と電力出力部とを接続することで、複数の電力供給ユニットを組み合わせた形態を挙げることができ、これによって、電力供給ユニット群が構成される。尚、電力供給ユニット群における電力供給ユニットの数は最低２であり、上限に特に制限はない。複数の電力供給ユニットが平面的に組み合わされて電力供給ユニット群を構成してもよいし、複数の電力供給ユニットが立体的に、あるいは、積層されて組み合わされることで、電力供給ユニット群を構成してもよいし、あるいは又、複数の電力供給ユニットを平面的に組み合わせ、更に、立体的に（あるいは積層して）組み合わせてもよい。電力供給ユニット群を構成する電力供給ユニットの容量、大きさ（サイズ）、電力供給ユニットを構成する二次電池の数や出力電圧、容量等は、電力供給ユニットにおいて同じであってもよいし、異なっていてもよい。
【００１８】
そして、このような電力供給ユニット群においては、外部電源から、少なくとも１つの電力供給ユニットにおける電力入力部を介して電力が供給され、各電力供給ユニットにおける二次電池セルを充電する。外部電源と電力入力部との接続は、配線を用いてもよいし、例えば、電磁誘導方式や磁界共鳴方式といった無線送電方式を採用してもよい。また、少なくとも１つの電力供給ユニットにおける電力出力部に、１又は複数の電力消費機器が接続される。即ち、電力供給ユニット群の１箇所に１又は複数の電力消費機器が接続されていてもよいし、電力供給ユニット群の複数箇所に１又は複数の電力消費機器が接続されていてもよい。電力消費機器と電力入力部との接続も、配線を用いてもよいし、例えば、電磁誘導方式や磁界共鳴方式といった無線送電方式を採用してもよい。電力消費機器として、パーソナルコンピュータ、テレビジョン受像機、各種表示装置、携帯電話、ＰＤＡ、デジタルスチルカメラやビデオカメラ、カムコーダ、音楽プレーヤ等の電子機器や、電動ドリル等の電動工具、室内灯等の照明器具、電力供給ユニットあるいはホームエネルギーサーバ（家庭用蓄電装置）、医療機器、玩具等を例示することができるが、これらに限定するものではない。また、外部電源として、商用電源だけでなく、種々の太陽電池、燃料電池、風力発電装置、マイクロ水力発電装置、地熱発電装置等を例示することができるが、これらに限定するものではない。筐体は、例えば、プラスチック材料、例えば、熱可塑性樹脂、具体的には、例えば、ポリエチレン樹脂、ポリプロピレン樹脂等のポリオレフィン系樹脂；ポリアミド６、ポリアミド６６、ポリアミドＭＸＤ６等のポリアミド系樹脂；ポリオキシメチレン（ポリアセタール，ＰＯＭ）樹脂；ポリエチレンテレフタレート（ＰＥＴ）樹脂、ポリブチレンテレフタレート（ＰＢＴ）樹脂等のポリエステル系樹脂；ポリフェニレンサルファイド樹脂；ポリスチレン樹脂、ＡＢＳ樹脂、ＡＥＳ樹脂、ＡＳ樹脂といったスチレン系樹脂；メタクリル系樹脂；ポリカーボネート樹脂；変性ポリフェニレンエーテル（ＰＰＥ）樹脂；ポリスルホン樹脂；ポリエーテルスルホン樹脂；ポリアリレート樹脂；ポリエーテルイミド樹脂；ポリアミドイミド樹脂；ポリイミド系樹脂；ポリエーテルケトン樹脂；ポリエーテルエーテルケトン樹脂；ポリエステルカーボネート樹脂；液晶ポリマー等から作製すればよいが、これに限定するものではない。
【００１９】
本発明において、電力供給ユニットを制御装置と通信手段で結ぶ場合、あるいは又、電力供給ユニットを相互に通信手段で結ぶ場合、通信手段として、インターネット通信網を含む通常の電話回線や光ファイバー回線、ＺｉｇＢｅｅ、無線、ＬＡＮ、ＲＣ２３２、ＵＳＢ、ＩｒＤＡを含む赤外線、無線ＬＡＮのプロトコルの１つであるＢｌｕｅｔｏｏｔｈやＨｏｍｅＲＦ、あるいは、これらの組合せを例示することができるが、これらに限定するものではない。制御装置として、あるいは又、制御装置の一部として、パーソナルコンピュータを挙げることができる。また、表示装置を備えた携帯端末を更に備え、制御装置と携帯端末とは通信手段で結ばれている構成とすることもできる。このような構成にすることで、電力供給ユニットあるいは電力供給ユニット群の作動状態を離れた所で確認することができる。ここで、携帯端末として、携帯電話、ＰＤＡ（Personal Digital Assistant）、ノート型パーソナルコンピュータを例示することができるが、これらに限定するものではない。
【実施例１】
【００２０】
実施例１は、本発明の電力供給ユニットに関する。実施例１の電力供給ユニットを組み合わせた電力供給ユニット群の模式的な斜視図を図１の（Ａ）に示し、電力供給ユニット群を上方から眺めた模式図を図１の（Ｂ）に示し、電力供給ユニットの内部を眺めたときの模式図を図１の（Ｃ）に示す。また、充放電制御手段のブロック図を図２に示す。
【００２１】
実施例１の電力供給ユニット１１は、
（Ａ）多角柱の形状を有する筐体２０、
（Ｂ）筐体２０の内部に格納された二次電池セル３０、
（Ｃ）筐体２０の内部に格納され、二次電池セル３０に接続された充放電制御手段４０、
（Ｄ）筐体２０に配置され、充放電制御手段４０に接続された、少なくとも１つの電力入力部５１、並びに、
（Ｅ）筐体２０に配置され、充放電制御手段４０に接続された、少なくとも１つの電力出力部５３、
を有する。尚、実施例１において、電力供給ユニット群１０は、３つの電力供給ユニット１１Ａ，１１Ｂ，１１Ｃが組み合わされて構成されているが、電力供給ユニットの数はこれに限定するものではない。
【００２２】
実施例１の電力供給ユニット１１において、筐体２０の形状は、複数の筐体２０を隙間無く並べ得る形状を有する。具体的には、筐体２０は正六角柱の形状を有する。即ち、筐体２０の軸線と直交する仮想平面で筐体２０を切断したときの断面形状は正六角形である。そして、電力入力部５１は、正六角柱の形状を有する筐体２０の奇数番目の側面に設けられており、電力出力部５３は、正六角柱の形状を有する筐体２０の偶数番目の側面に設けられている。尚、図示した例では、電力入力部５１が１つ、電力出力部５３が３つの構成であるが、これに限定するものではない。電力入力部５１、電力出力部５３は、図示しない配線を介して充放電制御手段４０に接続されている。また、図１の（Ａ）において、３つの電力供給ユニット１１の高さが異なっているが、これは、３つの電力供給ユニット１１の容量が異なっている、即ち、筐体２０の内部に格納された二次電池セル３０の数が異なっているからである。筐体２０は、ＡＢＳ樹脂といったプラスチック材料から成形されている。
【００２３】
実施例１の電力供給ユニット１１にあっては、更に、
（Ｆ）筐体２０に配置され、充放電制御手段４０に接続された、少なくとも１つの情報入力部、及び、
（Ｇ）筐体２０に配置され、充放電制御手段４０に接続された、少なくとも１つの情報出力部、
を有する。ここで、情報入力部及び情報出力部は、具体的には、ＵＳＢ端子部５５から構成されている。より具体的には、例えば、情報入力部はＵＳＢ端子から成り、情報出力部はＵＳＢソケットから成る。ＵＳＢ端子部５５は、図示しない配線を介して充放電制御手段４０に接続されている。複数の電力供給ユニット１１の相互において、情報入力部及び情報出力部をＵＳＢケーブルで接続することで、電力供給ユニット１１相互の情報交換を行うことができる。また、いずれかの電力供給ユニット１１における情報出力部と、例えば、パーソナルコンピュータから成る制御装置（図示せず）をＵＳＢケーブルで接続すれば、制御装置による複数の電力供給ユニット１１の制御、複数の電力供給ユニット１１における情報の授受、交換等、複数の電力供給ユニット１１の作動状態のチェック、複数の電力供給ユニット１１の作動状態の表示等が可能となる。尚、制御装置と各電力供給ユニット１１とを、例えば、ＺｉｇＢｅｅを介して接続してもよい。
【００２４】
場合によっては、電力入力部５１をＵＳＢ端子部から構成し、電力出力部５３を、ＵＳＢ端子から構成された電力入力部５１と嵌合するＵＳＢ端子部から構成してもよい。具体的には、例えば、マイクロＵＳＢ端子及びマイクロＵＳＢソケットから電力入力部５１及び電力出力部５３を構成し、あるいは又、マイクロＵＳＢ端子及びマイクロＵＳＢソケットから電力出力部５３及び電力入力部５１を構成すればよい。
【００２５】
実施例１の電力供給ユニット１１において、充放電制御手段４０は、周知の充放電制御用の集積回路（充電回路）４３、及び、周知のＤＣ／ＤＣコンバータ（出力用ＤＣ／ＤＣコンバータ）４４から成る。充放電制御手段４０は、更に、ＭＰＵ４１、ＥＥＲＯＭから成る記憶手段４２、制御系ＤＣ／ＤＣコンバータ４５、ＵＳＢ用ＤＣ／ＤＣコンバータ４６を備えている。例えば、集積回路（充電回路）４３に、商用電源や太陽電池といった外部電源から電力入力部５１を介して電圧１２ボルトの入力電力が供給される。そして、集積回路（充電回路）４３の周知の作動によって、リチウムイオン二次電池から成る二次電池セル３０が充電される。二次電池セル３０からは、制御系ＤＣ／ＤＣコンバータ４５を介して、ＭＰＵ４１や記憶手段４２に電力が供給される。また、二次電池セル３０から、出力用ＤＣ／ＤＣコンバータ４４、電力出力部５３を介して、外部に電力が供給され、併せて、ＵＳＢ用ＤＣ／ＤＣコンバータ４６を介してＵＳＢ端子部５５に電力が供給される。尚、ＭＰＵ４１等は、プリント配線板４７に取り付けられている。
【００２６】
電力入力部５１と電力出力部５３とは相互に嵌合する構造を有している。具体的には、例えば、電力入力部５１は突起状の構造を有し、電力出力部５３は凹部状の構造を有する。そして、隣接する電力供給ユニット１１において、電力入力部５１と電力出力部５３とを嵌合させることで、複数の電力供給ユニット１１が組み合わされた電力供給ユニット群１０を得ることができる。充放電制御手段４０は、図示しない検出手段（例えばスイッチ等）によって、電力入力部５１と電力出力部５３との嵌合状態を検出することができる構造となっている。
【００２７】
また、電力供給ユニット１１において、電力入力部５１の近傍には、充放電制御手段４０に接続された、電力入力の有無を表示する入力表示手段５２が配置されており、電力出力部５３の近傍には、充放電制御手段４０に接続された、電力出力の有無を表示する出力表示手段５４が配置されている。入力表示手段５２及び出力表示手段５４は、矢印形状の光が透過する部材から成る表示部、及び、表示部の内側に配置された発光素子（図示せず）から成る。尚、発光素子は、具体的には、例えば、ＬＥＤから構成することができる。入力表示手段５２及び出力表示手段５４は、筐体２０の頂面に配置されている。発光素子は配線を介して充放電制御手段４０に接続されており、発光素子のオン／オフは充放電制御手段４０によって制御される。より具体的には、充放電制御手段４０は、電力入力部５１と電力出力部５３との嵌合状態を調べ、更には、電力入力部５１と電力出力部５３との間の電流の流れを検出し、その結果に基づき、発光素子のオン／オフの制御を行う。図１の（Ｂ）において、黒色の矢印で示された入力表示手段５２は、その近傍に位置する電力入力部５１に、外部電源から電力が供給（入力）されていることを示している。また、黒色の矢印で示された出力表示手段５４は、その近傍に位置する電力出力部５３から外部にあるいは隣接する電力供給ユニット１１に電力が供給（出力）されていることを示している。以下の説明においても同様である。電力供給ユニット１１の筐体２０には、充電状態を表示するＬＥＤから成る充電状態表示手段（図示せず）、放電状態を表示するＬＥＤから成る放電状態表示手段あるいは残量表示手段（図示せず）を配し、充放電制御手段４０に接続し、充放電制御手段４０によってその動作を制御してもよい。あるいは又、入力表示手段５２及び出力表示手段５４に、充電状態表示手段、放電状態表示手段あるいは残量表示手段を兼用させてもよい。この場合、例えば、発光素子の点滅状態等で、充電状態表示手段、放電状態表示手段あるいは残量表示手段としての機能を発揮させることができる。
【００２８】
実施例１の電力供給ユニット群１０にあっては、１箇所の電力入力部５１を介して外部電源から電力が供給され、３つの電力供給ユニット１１における二次電池セル３０を充電する。また、１箇所あるいは２箇所の電力出力部５３を介して電力消費機器に電力が供給（出力）され、電力消費機器が駆動される。
【００２９】
実施例１にあっては、電力供給ユニット１１の筐体２０の形状は多角柱（具体的には、正六角柱）であり、複数の電力供給ユニット１１を、隙間無く組み合わせることができる。また、隣接する電力供給ユニット１１において電力入力部５１と電力出力部５３とを接続することで、複数の電力供給ユニット１１を容易に組み合わせることができるし、例えば容量の異なる種々の複数の電力供給ユニット１１を組み合わせて、即ち、混在した状態で、全体として１つの電力供給ユニット群１０として用いることができる。
【００３０】
以上、本発明を好ましい実施例に基づき説明したが、本発明はこの実施例に限定されるものではない。実施例における電力供給ユニット、電力供給ユニット群の構成、構造、筐体、二次電池セル、充放電制御手段、電力入力部、電力出力部の構成、構造は例示であり、適宜、変更することができる。筐体２０に配置され、充放電制御手段４０に接続された、少なくとも１つの電力入力部及び少なくとも１つの電力出力部を、例えば、磁界共鳴方式から構成することもできる。具体的には、充放電制御手段４０に、高周波電源回路、マッチング回路といった送電装置、並びに、マッチング回路、高速整流回路、電源変換回路といった受電装置を組み込み、電力出力部を、送電装置を構成するマッチング回路に接続された送電デバイスから構成し、電力入力部を、受電装置を構成するマッチング回路に接続された受電デバイスから構成すればよい。
【００３１】
例えば、図３の（Ａ）に示すように、本発明の電力供給ユニットを６つ、組み合わせて電力供給ユニット群を構成することもできる。尚、図３の（Ａ）は、このような電力供給ユニット群を上方から眺めた模式図である。ここで、図示した例では、各電力供給ユニットには、電力入力部５１が３つ、電力出力部５３が３つ、設けられている。
【００３２】
また、図３の（Ｂ）に示すように、正三角柱の形状を有する筐体１２０を備えた電力供給ユニット１１１とすることもできる。ここで、参照番号５６Ａはピンであり、参照番号５６Ｂはピン５６Ａと嵌合する孔部である。このようにピン５６Ａと孔部５６Ｂとを嵌合させることで、電力供給ユニット１１を組み合わせたとき、電力入力部５１及び電力出力部５３に過度の力が加わることを防止することができる。また、参照番号５７は、電力出力部５３を出し入れするための摘み（ノブ）である。更には、参照番号５８は、充電状態表示手段及び放電状態表示手段あるいは残量表示手段を兼ねた表示手段であり、複数のＬＥＤが配列されて構成されている。表示手段５８は充放電制御手段４０に接続されている。
【００３３】
あるいは又、図４の（Ａ）に模式的な斜視図を示すように、四角柱の形状（直方体の形状）を有する筐体を備えた電力供給ユニット２１１とすることもできる。尚、図４の（Ｂ）は、このような電力供給ユニット２１１を３つ、組み合わせた電力供給ユニット群２１０を底面側から眺めた概念図である。
【符号の説明】
【００３４】
１０，２１０・・・電力供給ユニット群、１１，１１Ａ，１１Ｂ，１１Ｃ，１１１，２１１・・・電力供給ユニット、２０，１２０・・・筐体、３０・・・二次電池セル、４０・・・充放電制御手段、４１・・・ＭＰＵ、４２・・・記憶手段、４３・・・集積回路（充電回路）、４４・・・ＤＣ／ＤＣコンバータ（出力用ＤＣ／ＤＣコンバータ）、４５・・・制御系ＤＣ／ＤＣコンバータ、４６・・・ＵＳＢ用ＤＣ／ＤＣコンバータ、４７・・・プリント配線板、５１・・・電力入力部、５２・・・入力表示手段、５３・・・電力出力部、５４・・・出力表示手段、５５・・・ＵＳＢ端子部、５６Ａ・・・ピン、５６Ｂ・・・孔部、５７・・・摘み、５８・・・充電状態表示手段及び放電状態表示手段あるいは残量表示手段
【図１】
2012064353.tif 000003
【図２】
2012064353.tif 000004
【図３】
2012064353.tif 000005
【図４】
2012064353.tif 000006